(57)【要約】【課題】可動体に保持された配線の断線防止を図る。【解決手段】本パチンコ機は、遊技の進行に応じて演出を実行する演出役物装置を備えており、演出役物装置は、第１スライド役物と、溝部Ｍ２が形成されて、第１スライド役物に対して移動可能に連結された可動体としての従動アーム５７０と、を有している。溝部Ｍ２の内部に貼り付けられている両面テープ５６１、及び溝部Ｍ２に跨って配置されているハーネスカバー５６２は、ＬＥＤハーネス５９０を溝部Ｍ２の内部に平らに保持させている。【選択図】図９
2020010854.tif 000002
【特許請求の範囲】
【請求項１】
遊技価値を用いて行われる遊技の進行に応じて演出を実行する演出装置を備えた遊技機において、
前記演出装置は、
支持部と、
複数本の電線を有して前記支持部から延出する配線と、
前記配線を収納する溝部を有し、前記支持部に対して移動可能な可動体と、
前記溝部に収納される前記配線を、前記溝部の幅方向の距離より深さ方向の距離が小さくなるように前記溝部の内部に保持させる保持手段と、を備えた、
ことを特徴とする遊技機。
【請求項２】
前記可動体は、第１可動体であり、
前記演出装置は、前記支持部及び前記第１可動体に対して移動可能に、前記第１可動体を介して前記支持部に連結され、かつ前記配線により前記支持部と電気的に接続された第２可動体を備えた、
ことを特徴とする請求項１に記載の遊技機。
【発明の詳細な説明】
【技術分野】
【０００１】
本発明は、遊技機に関する。
【背景技術】
【０００２】
一般に、弾球式の遊技機（パチンコ機）では、遊技者のハンドル操作により遊技盤内の遊技領域に向かって遊技価値としての遊技球が発射され、遊技領域を流下した遊技球が始動口に入球したことを条件に特別図柄に係る抽選が実行される。そして、遊技機では、特別図柄表示器において、特別図柄が変動表示され、さらに、抽選によって決定された特別図柄が停止表示されることで遊技者に抽選結果が報知される。このとき、遊技機では、特別図柄表示器に大当たりであることを示す特定の特別図柄が停止表示されると、通常の遊技に比べて遊技者に有利な特別遊技状態が開始される。特別遊技状態が開始された場合、遊技機では、アタッカー装置が所定回数開閉し、大入賞口への遊技球の入球が可能になるため、遊技者が多くの賞球の払い出しを受けることが可能となる。また、一般に、このような遊技機は、遊技の進行に応じて画像の表示や、発光、移動等の演出を実行する演出装置を備えている。
【０００３】
従来、演出装置として、ＬＥＤを有して基端部を中心に回動する可動体としての電飾体を有する電動役物ユニットを備えたパチンコ機が知られている（特許文献１参照）。このパチンコ機は、電飾体が、ＬＥＤが設置されたＬＥＤ基板と、ＬＥＤ基板を収容する透明な基板ケースと、を有しており、ＬＥＤ基板に形成された導体パターンにより電飾体の内部の各所に配置されたＬＥＤへ電力が伝達されるように構成されている。
【先行技術文献】
【特許文献】
【０００４】
【特許文献１】特開２０１０−２２７２９５号公報
【発明の概要】
【発明が解決しようとする課題】
【０００５】
ところで、高価な基板を使用せず、移動する可動体の内部で電力を伝達するには、可動体の内部に配線を通すことにより電力を伝達することになる。しかしながら、可動体は画像表示装置の前方における薄いスペースで移動することが求められ、可動体の厚みを薄く抑えることが必要となるが、可動体の移動に伴い配線に対して伸縮方向の力が作用するため、配線が曲がって可動体の厚みよりも突出することがあると、突出した部分の配線が擦れる等して断線を引き起こす要因となり得るという問題がある。
【０００６】
そこで、本発明は、可動体に保持された配線の断線防止を図ることが可能な遊技機を提供することを目的とするものである。
【課題を解決するための手段】
【０００７】
本発明は、遊技価値を用いて行われる遊技の進行に応じて演出を実行する演出装置を備えた遊技機において、
前記演出装置は、
支持部と、
複数本の電線を有して前記支持部から延出する配線と、
前記配線を収納する溝部を有し、前記支持部に対して移動可能な可動体と、
前記溝部に収納される前記配線を、前記溝部の幅方向の距離より深さ方向の距離が小さくなるように前記溝部の内部に保持させる保持手段と、を備えた、ことを特徴とする。
【発明の効果】
【０００８】
本発明によると、可動体に保持された配線の断線防止を図ることができる。
【図面の簡単な説明】
【０００９】
【図１】本実施形態に係る遊技機であるパチンコ機の斜視図である。
【図２】本実施形態に係る遊技盤の正面図である。
【図３】本実施形態に係るパチンコ機の各部を示すブロック図である。
【図４】本実施形態に係るパチンコ機の演出役物装置を示す前方から視た斜視図で、（ａ）は、初期状態を示す図、（ｂ）は、第２状態を示す図である。
【図５】本実施形態に係るパチンコ機のスライド役物ユニットを示す背面図で、（ａ）は、演出役物装置の初期状態におけるスライド役物ユニットを示す図、（ｂ）は、演出役物装置の第２状態におけるスライド役物ユニットを示す図である。
【図６】本実施形態に係るパチンコ機のスライド役物ユニットを示す後方から視た斜視図である。
【図７】本実施形態に係るパチンコ機のスライド役物ユニットを示す後方から視た分解斜視図である。
【図８】本実施形態に係るパチンコ機のスライド役物ユニットを示す断面図である。
【図９】本実施形態に係るパチンコ機の従動アームユニットを示す後方から視た分解斜視図である。
【図１０】本実施形態に係るパチンコ機の従動アームユニットを示す断面図である。
【発明を実施するための形態】
【００１０】
以下、本実施形態について説明する。なお、以下に説明する本実施形態は、特許請求の範囲に記載された本発明の内容を不当に限定するものではない。また、本実施形態で説明される構成のすべてが、本発明の必須構成要件であるとは限らない。
【００１１】
１．構成
図１は、本発明の実施形態に係る遊技機であるパチンコ機１の斜視図である。図１に示すように、パチンコ機１は、略矩形状に組まれた四辺によって囲繞空間が形成される外枠２と、外枠２にヒンジ機構によって開閉自在に取り付けられた中枠４と、中枠４にヒンジ機構によって開閉自在に取り付けられた前枠６と、を備えている。
【００１２】
中枠４は、外枠２と同様に、略矩形状に組まれた四辺によって囲繞空間が形成されている。パチンコ機１では、中枠４の囲繞空間に遊技盤３０（図２参照）を保持している。また、前枠６には、ガラス製又は樹脂製の透過板１０が保持されている。そして、パチンコ機１では、中枠４及び前枠６を外枠２に対して閉じると、遊技盤３０の表面である遊技盤面３１（図２参照）と透過板１０とが所定の間隔を維持して略平行に対面するとともに、パチンコ機１の正面側から、透過板１０を介して遊技盤３０が視認可能となる。
【００１３】
前枠６の下部には、パチンコ機１の正面側に突出する操作ハンドル１２が設けられている。操作ハンドル１２には、遊技者によって回転操作可能な発射操作レバー１２ａが設けられており、遊技者が発射操作レバー１２ａを回転させて発射操作を行うと、発射操作レバー１２ａの回転角度に応じた強度で、不図示の発射機構によって遊技価値としての遊技球が発射される。このようにして発射された遊技球は、遊技盤３０に設けられたレール３２，３３間を上昇して遊技領域４０（図２参照）に導かれることになる。
【００１４】
図２は、本実施形態に係る遊技盤３０の正面図である。図２に示すように、遊技領域４０は、遊技盤３０と透過板１０との間隔に形成される空間であって、遊技球が流下又は転動可能な領域である。遊技盤３０には、多数の釘や風車が設けられており、遊技領域４０に導かれた遊技球が釘や風車に衝突して、不規則な方向に流下、転動するようにしている。
【００１５】
遊技領域４０は、発射機構の発射強度に応じて遊技球の進入度合いを互いに異にする第１遊技領域４０Ｌ及び第２遊技領域４０Ｒを備えている。第１遊技領域４０Ｌは、パチンコ機１に正対した遊技者から見て遊技領域４０の左側に位置し、第２遊技領域４０Ｒは、パチンコ機１に正対した遊技者から見て遊技領域４０の右側に位置している。パチンコ機１では、レール３３が遊技領域４０の左側の上部で途切れていることから、発射機構によって所定の強度未満の発射強度で発射された遊技球が第１遊技領域４０Ｌに進入し、所定の強度以上の発射強度で発射された遊技球が第２遊技領域４０Ｒに進入することになる。
【００１６】
また、遊技領域４０には、遊技球が入球可能な第１始動口５１、第２始動口５２、複数の第１一般入賞口５８、第２一般入賞口５９、が設けられており、詳細には、第１遊技領域４０Ｌに進入した遊技球は、第１始動口５１、複数の第１一般入賞口５８に入球可能であり、第２遊技領域４０Ｒに進入した遊技球は、第２始動口５２、第２一般入賞口５９に入球可能とあるように構成されている。第１始動口５１、第２始動口５２、第１一般入賞口５８、第２一般入賞口５９のそれぞれに遊技球が入球すると、それぞれに設定された所定の賞球が遊技者に払い出される。なお、パチンコ機１において、賞球数は、１個以上であれば何個でもよく、また、第１始動口５１、第２始動口５２、第１一般入賞口５８、第２一般入賞口５９のそれぞれで払い出す賞球数を異ならせてもよいし、同じ賞球数に設定してもよい。パチンコ機１では、第１始動口５１に遊技球が入球して払い出す賞球数を、第２始動口５２に遊技球が入球して払い出す賞球数よりも少なく設定することも可能である。
【００１７】
本実施形態のパチンコ機１では、第１始動口５１内に第１始動領域が設けられ、第２始動口５２内に第２始動領域が設けられている。そして、パチンコ機１では、第１始動口５１又は第２始動口５２に遊技球が入球して第１始動領域又は第２始動領域に遊技球が進入すると、予め設けられた複数の特別図柄の中からいずれか１つの特別図柄を決定するための内部抽選が行われる。各特別図柄には、遊技者にとって有利な特別遊技状態としての大当り遊技の実行可否や、以後の遊技状態をどのような遊技状態にするかといった種々の特典（遊技利益）が対応付けられている。したがって、遊技者は、第１始動口５１又は第２始動口５２に遊技球が入球すると、所定の賞球を獲得するのと同時に、種々の特典を受ける権利獲得の抽選の機会を獲得することとなる。
【００１８】
また、第２始動口５１には、可動片５２ａが開閉可能に設けられており、可動片５２ａの状態に応じて、第２始動口５２への遊技球の進入容易性が変化するように構成されている。具体的には、可動片５２ａが閉状態にあるときには、第２始動口５２への遊技球の入球が不可能となり、可動片５２ａが開き、遊技球の直径よりも開いた状態にあるときには、第２始動口５２への遊技球の入球が可能となっている。
【００１９】
パチンコ機１では、第２遊技領域４０Ｒに設けられたゲート５３内の進入領域を遊技球が通過すると、普通図柄の抽選が行われ、抽選によって当たりに当選すると、可動片５２ａが所定時間、開状態に制御される。可動片５２ａが開状態に制御されることで、本実施形態のパチンコ機１では、可動片５２ａが遊技球を第２始動口５２に導く受け皿として機能し、第２始動口５２への遊技球の入球が容易となる。なお、パチンコ機１は、可動片５２ａが閉状態にあるときに、第２始動口５２への遊技球の入球が不可能となるように構成されているが、第２始動口５２が閉状態にある場合にも一定の頻度で遊技球が入球可能となるように構成されていてもよい。
【００２０】
なお、第２遊技領域４０Ｒの上部には、ワープ導入口５６及びワープ排出口５７が設けられており、第２遊技領域４０Ｒに進入した遊技球のうち、右側を流下する遊技球はワープ導入口５６から遊技盤３０の背面側を通過してワープ排出口５７に導かれ、再度、ゲート５３の上部で第２遊技領域４０Ｒに戻される。
【００２１】
第２遊技領域４０Ｒの下方側には、遊技球が入球可能な大入賞口６５を有する大入賞口装置６０が設けられている。大入賞口装置６０には、開閉扉６１が大入賞口６５を開閉可能となるように設けられており、通常、開閉扉６１が大入賞口６５を閉鎖して、大入賞口６５への遊技球の入球が不可能となっている。これに対して、パチンコ機１では、大当り遊技が実行されると、開閉扉６１が開放されて、大入賞口６５への遊技球の入球が可能となる。なお、大入賞口装置６０には、開閉扉６１の開閉と連動して上下に回動する回動部材６２が設けられており、開閉扉６１が開放された際に回動部材６２が上方に回動して、上方から流下してくる遊技球を受け止めて大入賞口６５に導き易くなる入賞補助を行うように構成されている。
【００２２】
そして、大入賞口６５に遊技球が入球すると、大入賞口検出センサ６７により遊技球の通過が検出され、所定の賞球が遊技者に払い出される。そして、大入賞口６５に入球した遊技球は、詳しくは後述する第１形態のパチンコ機１では、下方側に配置された排出孔６９を通過して大入賞口装置６０の背面側から外部に排出される。なお、上記大入賞口検出センサ６７を通過した遊技球は、遊技球検出センサである大入賞口排出検出センサ６８により通過が検出され、所定時間以内に大入賞口装置６０の排出孔６９から遊技盤３０の背面に適切に排出されたか否かが検出される。
【００２３】
また、第２始動口５２及び大入賞口６５に入球しなかった遊技球は、大入賞口装置６０をそのまま通過して、第２一般入賞口５９の上方に導かれ、第２一般入賞口５９に入賞するか、或いはそのまま下方に流下する。なお、第２一般入賞口５９は、例えば賞球を１個に設定し、第１遊技領域４０Ｌを狙って遊技球を発射すべき状態で入賞を検出した際に、第１遊技領域４０Ｌを狙うべき旨（つまり左打ちの推奨）を報知するように構成しておくことが可能である。
【００２４】
そして、遊技領域４０の最下部には、第１一般入賞口５８、第１始動口５１、第２始動口５２、大入賞口６５、第２一般入賞口５９、のいずれにも入球しなかった遊技球を、遊技領域４０から遊技盤３０の背面側に排出する排出口５５が設けられている。
【００２５】
また、図１及び図２に示すように、パチンコ機１には、遊技状態の変化や、各種抽選結果等の遊技の進行に応じた演出を実行する演出装置として、液晶表示装置からなる演出表示装置４００、演出役物装置４１０、さまざまな点灯態様や発光色に制御されるランプからなる演出照明装置４２０、スピーカからなる楽曲出力装置４３０、遊技者の演出に関する操作を受け付ける演出操作装置４５０が設けられている。
【００２６】
演出表示装置４００は、遊技盤３０の略中央部分において、パチンコ機１の正面側から視認可能な位置に画像を表示する画像表示部４００ａを備えている。演出表示装置４００は、図２に示すように、画像表示部４００ａに左側、中央、右側にそれぞれ配置された演出図柄４０１Ｌ、４０１Ｃ，４０１Ｒが変動表示され、演出図柄４０１Ｌ、４０１Ｃ，４０１Ｒの停止表示態様によって大当り抽選結果が遊技者に報知される変動演出が実行されることとなる。
【００２７】
演出役物装置４１０は、さまざまな点灯態様や発光色に制御されるＬＥＤ等のランプや、詳細は後述する移動可能なスライド役物ユニット４１２（図４参照）等を有して構成され、演出表示装置４００の画像表示部４００ａよりも前方に配置されている。演出役物装置４１０は、通常、画像表示部４００ａの表示を邪魔しないように縮退しているが、遊技の進行に応じて演出図柄４０１Ｌ、４０１Ｃ，４０１Ｒの変動表示中等に、画像表示部４００ａの前方に進出するようにスライド役物ユニット４１２が移動したり、ランプが点灯したりして、遊技者に大当たりの期待感を付与するものである。
【００２８】
図１及び図２に示すように、演出照明装置４２０は、例えば光源としてのＬＥＤやＬＥＤから照射される光を拡散するレンズ等を有して構成され、演出役物装置４１０や遊技盤３０等に設けられており、演出表示装置４００に表示される画像等に合わせて、さまざまに点灯制御される。
【００２９】
図１に示すように、楽曲出力装置４３０は、前枠６の上部位置や外枠２の最下部位置に設けられた、いわゆるスピーカであって、演出表示装置４００に表示される画像等に合わせて、パチンコ機１の正面側に向けてさまざまな楽曲を出力する。なお、楽曲とは、楽音、噪音、音声、擬音等、音に関するすべての概念を含む。
【００３０】
演出操作装置４５０は、遊技者の押下操作を受け付ける演出押下ボタン４５１と、遊技者の演出操作装置４５０全体を回動させる回動操作を受け付ける演出回動レバー４５２を有しており、パチンコ機１の幅方向略中央位置であって、かつ、透過板１０よりも下方位置に設けられている。演出操作装置４５０は、演出表示装置４００に表示される画像等に合わせて有効化され、操作有効期間内に遊技者の操作を受け付けると、当該操作に応じて、演出表示装置４００や演出役物装置４１０を用いた様々な演出が実行される。
【００３１】
また、演出操作装置４５０の後方には、パチンコ機１から払い出される賞球や、遊技球貸出装置から貸し出される遊技球が導かれる上皿２２が設けられ、上皿２２の下方に下皿２４が設けられている。パチンコ機１では、上皿２２が遊技球で一杯になると、上皿２２に進入できない遊技球が下皿２４に導かれることとなる。また、下皿２４の底面には、下皿２４から遊技球を排出するための球抜き孔（不図示）が形成されている。球抜き孔は、通常、開閉板（不図示）によって閉じられているが、球抜きボタン２４ａを押下操作することにより、上記開閉板がスライド移動する等して球抜き孔が開放され、球抜き孔から下皿２４の下方に遊技球を排出することが可能となっている。
【００３２】
そして、図２に示すように、遊技盤３０には、遊技領域４０の外方であって、かつ、遊技者が視認可能な位置に、遊技に係る種々の状況を表示するための装置として、第１特別図柄表示器７１、第２特別図柄表示器７２、第１特別図柄保留表示器７３、第２特別図柄保留表示器７４、普通図柄表示器７５、普通図柄保留表示器７６、及び右打ち報知表示器７７（図３参照）を有する情報表示装置７０が設けられている。
【００３３】
図３は、本実施形態に係るパチンコ機１の各部を示すブロック図である。主制御基板で構成される主制御部１００は、遊技の進行を制御し、メインＣＰＵ１００ａと、メインＲＯＭ１００ｂと、メインＲＡＭ１００ｃと、を備えている。メインＣＰＵ１００ａは、各検出スイッチや払出・発射制御部３００からの入力信号に基づいて、メインＲＯＭ１００ｂに格納されたプログラムを読み出して演算処理を行うとともに、各装置や表示器を直接制御したり、あるいは演算処理の結果に応じて他の制御部に主制御部１００で生成したコマンドを送信したりすることで、遊技の進行に係る制御処理を実行する。メインＲＡＭ１００ｃは、メインＣＰＵ１００ａの演算処理時におけるデータのワークエリアとして機能する。
【００３４】
主制御部１００には、第１一般入賞口５８に遊技球が入球したことを検出する第１一般入賞口検出スイッチ５８ｓと、第２一般入賞口５９に遊技球が入球したことを検出する第２一般入賞口検出スイッチ５９ｓと、第１始動口５１に遊技球が入球したことを検出する第１始動口検出スイッチ５１ｓと、第２始動口５２に遊技球が入球したことを検出する第２始動口検出スイッチ５２ｓと、ゲート５３を遊技球が通過したことを検出するゲート検出スイッチ５３ｓと、大入賞口６５に遊技球が入球したことを検出する大入賞口検出センサ６７（図２参照）に設けられた大入賞口検出スイッチ６５ｓと、大入賞口６５から遊技球が排出されたことを検出する大入賞口排出検出センサ６８（図２参照）に設けられた大入賞口排出検出スイッチ６８ｓとが接続されており、各検出スイッチから出力される検出信号が主制御部１００に入力されるよう構成されている。
【００３５】
また、主制御部１００には、第２始動口５２の可動片５２ａを作動する普通電動役物ソレノイド５２ｓｏと、大入賞口６５を開閉する開閉扉６１を作動する大入賞口ソレノイド６１ｓｏと、回動部材６２を作動する大入賞口補助ソレノイド６２ｓｏとが接続されており、主制御部１００によって、第２始動口５２及び大入賞口６５の開閉制御、大入賞口６５への入賞補助制御が実行されるよう構成されている。
【００３６】
また、主制御部１００には、第１特別図柄表示器７１と、第２特別図柄表示器７２と、第１特別図柄保留表示器７３と、第２特別図柄保留表示器７４と、普通図柄表示器７５と、普通図柄保留表示器７６と、右打ち報知表示器７７と、が接続されており、主制御部１００によって、これら各表示器の表示制御が実行される。
【００３７】
本実施形態のパチンコ機１では、主に第１始動口５１又は第２始動口５２への遊技球の入球によって開始される特別遊技と、ゲート５３を遊技球が通過することによって開始される普通遊技と、に遊技の種別が大別される。そして、主制御部１００のメインＲＯＭ１００ｂには、特別遊技及び普通遊技を進行するための種々のプログラムや、各種の遊技に必要なデータ、テーブルが記憶されている。
【００３８】
メインＣＰＵ１００ａでは、例えば、発生させた乱数を用いて実行する特別図柄の当否に係る内部抽選、普通電動役物ソレノイド５２ｓｏに信号を出力し可動片５２ａを作動させる制御、大入賞口ソレノイド６１ｓｏに信号を出力し開閉扉６１を作動させる制御、大入賞口補助ソレノイド６２ｓｏに信号を出力し回動部材を作動させる制御、内部抽選における特別図柄の当選確率を変更する制御等、遊技の進行に係る制御を実行する。メインＣＰＵ１００ａは、各制御の結果や、各検出スイッチから入力された検出信号をコマンド（主制御コマンド）に変換し、払出・発射制御部３００や副制御部２００に送信する。なお、特別図柄の当選確率を変更する制御とは、大当り遊技の終了後の遊技状態を、内部抽選における特別図柄の当選確率を、通常の確率とする通常状態と、通常の確率よりも上昇する確変状態と、のいずれかに決定する遊技状態決定制御のことを指している。
【００３９】
払出・発射制御部３００は、遊技球を発射させるための制御及び賞球を払い出すための制御を行う。払出・発射制御部３００も、主制御部１００と略同様に、図示を省略したＣＰＵ、ＲＯＭ、ＲＡＭを備えており、主制御部１００に対して双方向に通信可能に接続されている。払出・発射制御部３００には、遊技情報出力端子板３１１が接続されており、主制御部１００から出力される遊技進行上の種々の情報が、払出・発射制御部３００及び遊技情報出力端子板３１１を介して、外部カウンタや遊技店のホールコンピュータ等に出力されることとなる。
【００４０】
また、払出・発射制御部３００には、貯留部に貯留された遊技球を賞球として遊技者に払い出すための払出モータ３１２が接続されている。払出・発射制御部３００は、主制御部１００から送信された払出個数指定コマンドに基づいて払出モータ３１２を制御して所定の賞球を遊技者に払い出すように制御する。このとき、パチンコ機１では、払い出された遊技球数が払出球計数スイッチ３１３ｓによって検出され、払い出すべき賞球が遊技者に払い出されたかが把握されるように構成されている。
【００４１】
また、払出・発射制御部３００には、下皿２４の満タン状態を検出する皿満タン検出スイッチ３１４ｓが接続されている。皿満タン検出スイッチ３１４ｓは、遊技球を上皿２２から下皿２４に導く通路に設けられており、皿満タン検出スイッチ３１４ｓにおける遊技球の有無を遊技球検出信号として払出・発射制御部３００に出力するように構成されている。即ち、払出・発射制御部３００は、遊技球検出信号が所定時間連続して入力された場合に、下皿２４が満タン状態であると判断し、遊技球検出信号の連続入力が途絶えた場合には、満タン状態が解除されたと判断する。なお、下皿２４が満タン状態であると判断される場合、例えば副制御部２００が演出表示装置４００や楽曲出力装置４３０等を用いて遊技者に下皿２４が満タン状態であることを報知する。
【００４２】
また、払出・発射制御部３００には、遊技球の発射制御を行う払出・発射制御回路３０１が設けられている。払出・発射制御部３００には、操作ハンドル１２に設けられ、当該操作ハンドル１２に遊技者が触れたことを検出するタッチセンサ１２ｓと、発射操作レバー１２ａの操作角度を検出する操作ボリューム１２ｖと、が接続されている。そして、タッチセンサ１２ｓ及び操作ボリューム１２ｖから信号が入力されると、払出・発射制御回路３０１において、遊技球発射装置に設けられた発射用ソレノイド１２ｓｏを通電して遊技球を発射させる制御が実行される。
【００４３】
副制御基板で構成される副制御部２００は、主に遊技中や待機中等の各演出を制御し、サブＣＰＵ２００ａと、サブＲＯＭ２００ｂと、サブＲＡＭ２００ｃと、を備えている。なお、パチンコ機１においては、主制御部１００に対して、不正防止の観点により、当該主制御部１００から副制御部２００への一方向にのみ通信可能に接続されている。
【００４４】
サブＣＰＵ２００ａは、主制御部１００から送信されたコマンド等に基づいて、サブＲＯＭ２００ｂに格納されたプログラムを読み出して演算処理を行うとともに、演出表示装置４００に画像を表示させる制御である画像表示制御や、演出役物装置４１０を駆動させる駆動制御、演出役物装置４１０や演出照明装置４２０を点灯させる点灯制御、楽曲出力装置４３０から楽曲を出力させる楽曲出力制御等の演出に係る制御を実行する。サブＲＡＭ２００ｃは、サブＣＰＵ２００ａの演算処理時におけるデータのワークエリアとして機能する。
【００４５】
また、副制御部２００には、演出操作装置４５０の演出押下ボタン４５１への遊技者の押下操作を検出する押下操作検出スイッチ４５１ｓと演出回動レバー４５２への遊技者の回動操作を検出する回動操作検出スイッチ４５２ｓとが接続されている。押下操作検出スイッチ４５１ｓは、遊技者による演出押下ボタン４５１の押下操作を検出すると、演出押下操作検出信号を副制御部２００に出力し、また、回動操作検出スイッチ４５２ｓは、遊技者による演出回動レバー４５２の回動操作を検出すると、演出回動操作検出信号を副制御部２００に出力する。そして、副制御部２００は、これら演出押下操作検出信号や演出回動操作検出信号の副制御部２００への入力や遊技の進行に応じて、演出表示装置４００、演出役物装置４１０、演出照明装置４２０、楽曲出力装置４３０等に演出を実行させる。
【００４６】
なお、パチンコ機１には、例えば１００Ｖの電圧からなる商用電源の電力を入力し、電源として機能する不図示の電源ユニットが備えられており、電源ユニットは、商用電源の１００Ｖの電圧を、例えば２４Ｖ（或いは１２Ｖでもよい）の電圧に降圧して各部に供給する第１降圧回路と、例えば５Ｖの電圧に降圧して各部に供給する第２降圧回路とを有している。なお、島設備に供給されている例えば２４Ｖの電圧からなる電力をそのまま入力するものでもよく、その場合は第１降圧回路は不要である。
【００４７】
第１降圧回路からの例えば２４Ｖの電圧の電力は、主制御部１００、副制御部２００、普通電動役物ソレノイド５２ｓｏ、大入賞口ソレノイド６１ｓｏ、大入賞口補助ソレノイド６２ｓｏ、第１特別図柄表示器７１、第２特別図柄表示器７２、第１特別図柄保留表示器７３、第２特別図柄保留表示器７４、普通図柄表示器７５、普通図柄保留表示器７６、右打ち報知表示器７７、払出モータ３１２、発射用ソレノイド１２ｓｏ、演出表示装置４００、演出役物装置４１０、演出照明装置４２０、楽曲出力装置４３０等に送電され、それらの駆動電力や発光電力として用いられる。
【００４８】
また、第２降圧回路からの例えば５Ｖの電圧の電力は、第１一般入賞口検出スイッチ５８ｓ、第２一般入賞口検出スイッチ５９ｓ、第１始動口検出スイッチ５１ｓ、第２始動口検出スイッチ５２ｓ、ゲート検出スイッチ５３ｓ、大入賞口検出スイッチ６５ｓ、大入賞口排出検出スイッチ６８ｓ、払出球計数スイッチ３１３ｓ、皿満タン検出スイッチ３１４ｓ、タッチセンサ１２ｓ、操作ボリューム１２ｖ、押下操作検出スイッチ４５１ｓ、回動操作検出スイッチ４５２ｓ等に送電され、それらのセンサやスイッチの駆動電力として用いられる。
【００４９】
また、主制御部１００においては、第１降圧回路からの例えば２４Ｖの電圧の電力をさらに例えば５Ｖの電圧の電力に降圧し、この例えば５Ｖの電圧の電力は、メインＣＰＵ１００ａ、メインＲＯＭ１００ｂ、メインＲＡＭ１００ｃ、払出・発射制御回路３０１の駆動電力として用いられる。
【００５０】
そして、副制御部２００においても、第１降圧回路からの例えば２４Ｖの電圧の電力をさらに例えば３．３Ｖ（或いは１．２Ｖでもよい）の電圧の電力に降圧し、この例えば３．３Ｖの電圧の電力は、サブＣＰＵ２００ａ、サブＲＯＭ２００ｂ、サブＲＡＭ２００ｃの駆動電力として用いられる。
【００５１】
２．演出役物装置の構成
次に、演出役物装置４１０の概略構成について説明する。図４（ａ）に示すように、演出役物装置４１０は、遊技盤面３１（図２参照）と相対的に固定されているスライド役物ベース４１１と、スライド役物ベース４１１に支持されているスライド役物ユニット４１２と、副制御部２００により制御されて、スライド役物ユニット４１２を移動させる図示しない第１モータと、を有している。スライド役物ユニット４１２は、図示しないガイドレールに沿ってスライド可能にスライド役物ベース４１１に連結されており、第１モータの駆動により、スライド役物ベース４１１に対してスライドするように構成されている。スライド役物ユニット４１２は、スライド役物ベース４１１に連結されている第１スライド役物（支持部）５１０と、第１スライド役物５１０に支持されて、第１スライド役物５１０に対して平行移動が可能な第２スライド役物（第２可動体）５２０と、を有している。
【００５２】
すなわち、演出役物装置４１０は、副制御部２００により制御されて、図４（ａ）に示す初期状態と、第１スライド役物５１０と第２スライド役物５２０との相対位置が初期状態と同じで、かつスライド役物ユニット４１２がスライド役物ベース４１１に対してスライドした状態である第１状態と、スライド役物ベース４１１と第１スライド役物５１０との相対位置が初期状態と同じで、かつ第２スライド役物５２０が第１スライド役物５１０に対して平行移動した状態である第２状態と、スライド役物ユニット４１２がスライド役物ベース４１１に対してスライドし、かつ第２スライド役物５２０が第１スライド役物５１０に対して平行移動した状態である第３状態と、の４つの状態間で遷移する演出を実行可能に構成されている。初期状態は、演出役物装置４１０が、画像表示部４００ａの表示を邪魔しないように縮退した状態であり、スライド役物ユニット４１２が演出表示装置４００（図２参照）の下端部に位置している。第１状態、第２状態及び第３状態は、第１スライド役物５１０や第２スライド役物５２０が、演出表示装置４００の前面に進出した状態である。
【００５３】
図４（ｂ）は、演出役物装置４１０の第２状態を示す。演出役物装置４１０は、副制御部２００により制御されて、第２スライド役物５２０が第１スライド役物５１０に対して平行移動し、初期状態から第２状態に遷移する。
【００５４】
次に、スライド役物ユニット４１２の概略構成について、図５（ａ）及び図５（ｂ）を用いて説明する。なお、図５（ａ）及び図５（ｂ）は、第１スライド役物５１０及び第２スライド役物５２０の後方を覆う、後述する第１カバー５０１及び第２カバー５０２を取り外した状態におけるスライド役物ユニット４１２を示す背面図である図５（ａ）に示すように、スライド役物ユニット４１２は、揺動する駆動アーム５５０と、駆動して駆動アーム５５０を揺動させる第２モータ５３０と、駆動アーム５５０の揺動に従動して揺動する従動アーム（可動体、第１可動体）５７０を有する従動アームユニット５６０と、を有している。駆動アーム５５０は、第１スライド役物５１０及び第２スライド役物５２０の後方に配置され、第１スライド役物５１０に対して遊技盤面３１（図２参照）に沿う方向に回動可能に連結される基端部５５１から、第２スライド役物５２０に対して遊技盤面３１に沿う方向に回動可能に連結される先端部５５２まで、延びるように形成されている。同様に、従動アーム５７０は、第１スライド役物５１０及び第２スライド役物５２０の後方に配置され、第１スライド役物５１０に対して遊技盤面３１に沿う方向に回動可能に連結される基端部５７１から、第２スライド役物５２０に対して遊技盤面３１に沿う方向に回動可能に連結される先端部５７２まで、延びるように形成されている。このように、第２スライド役物５２０が、駆動アーム５５０及び従動アーム５７０を介し、第１スライド役物５１０に対して遊技盤面３１に沿う方向への平行移動が可能に連結されており、第１スライド役物５１０、駆動アーム５５０、従動アーム５７０及び第２スライド役物５２０は、第２モータ５３０の駆動により作動する平行リンク機構を形成している。
【００５５】
図５（ｂ）に示すように、スライド役物ユニット４１２は、第２モータ５３０の駆動により、駆動アーム５５０が駆動アーム５５０の基端部５５１を中心に第１スライド役物５１０に対して遊技盤面３１（図２参照）に沿う方向かつ背面視における時計回り方向であるＢ方向へ傾動し、従動アーム５７０が従動アーム５７０の基端部５７１を中心に第１スライド役物５１０に対して遊技盤面３１に沿う方向かつ背面視における時計回り方向であるＣ方向へ初期位置（第１位置）から作動位置（第２位置）まで傾動し、第２スライド役物５２０が駆動アーム５５０及び従動アーム５７０の傾動に伴って遊技盤面３１に沿う方向であるＤ方向へ平行移動可能に構成されている。なお、従動アーム５７０は、演出役物装置４１０が初期状態及び第１状態のいずれかである場合、初期位置に位置し、演出役物装置４１０が第２状態及び第３状態のいずれかである場合、作動位置に位置する。
【００５６】
次に、スライド役物ユニット４１２の詳細構成について、図６乃至図８を用いて説明をする。図６に示すように、スライド役物ユニット４１２は、第１スライド役物５１０の背面を覆うとともに第２モータ５３０保持する第１カバー５０１と、第２スライド役物５２０の背面を覆う第２カバー５０２と、を有している。
【００５７】
図７に示すように、第１スライド役物５１０は、第１スライド役物５１０の後側から後方へ向けて延設されて駆動アーム５５０を軸支する駆動アーム軸５１１、及び第１スライド役物５１０の後側から後方へ向けて延設されて従動アーム５７０を軸支する従動アーム軸５１２と、複数のＬＥＤが設置されている第１ＬＥＤ基板５１３と、第１ＬＥＤ基板５１３の前面側を覆って、第１ＬＥＤ基板５１３のＬＥＤから照射される光を拡散させて遊技者に視認させる第１装飾カバー５１５と、を有している。
【００５８】
駆動アーム５５０は、基端部５５１に駆動アーム軸５１１に挿通される基端孔５５３が形成されているとともに、先端部５５２に先端孔５５４が形成されている。
【００５９】
従動アームユニット５６０は、上述した従動アーム５７０と、従動アーム５７０に保持されるとともに一端が第１ＬＥＤ基板５１３に接続されて第１スライド役物５１０から延出するＬＥＤハーネス（配線）５９０と、を有している。従動アーム５７０は、基端部５７１に従動アーム軸５１２が挿通される基端孔５７３が形成されているとともに、先端部５７２に先端孔５７４が形成されている。
【００６０】
第２スライド役物５２０は、第２スライド役物５２０の後側から後方へ向けて延設され、駆動アーム５５０の先端孔５５４に挿通されて駆動アーム５５０を揺動可能に軸支する駆動アーム軸５２１と、第２スライド役物５２０の後側から後方へ向けて延設され、従動アーム５７０の先端孔５７４に挿通されて従動アーム５７０を揺動可能に軸支する従動アーム軸５２２と、前面側に複数のＬＥＤが設置され、ＬＥＤハーネス５９０の他端が接続されている第２ＬＥＤ基板５２３と、第２ＬＥＤ基板５２３の前面側を覆って、第２ＬＥＤ基板５２３のＬＥＤから照射される光を拡散させて遊技者に視認させる第２装飾カバー５２５と、を有している。
【００６１】
また、第２モータ５３０は、前後方向に延設されて、回転することにより駆動力を外部へ出力する駆動軸５３１を有し、第２カバー５０１に形成されているモータ固定孔５０１ａに固定されているとともに、図示しないモータハーネスにより第１ＬＥＤ基板５１３と電気的に接続されている。駆動軸５３１には、駆動アーム５５０の基端部５５１に形成されているギヤ部５５５と歯合するギヤ５３２が固定されており、駆動軸５３１の回転に伴いギヤ５３２が回転し、駆動アーム５５０が揺動する。
【００６２】
第１カバー５０１は、第１スライド役物５１０、駆動アーム５５０の基端部５５１側及び従動アームユニット５６０の基端部５７１側を後方から覆うように第１スライド役物５１０に固定されている。また、第２カバー５０２は、第２スライド役物５２０、駆動アーム５５０の先端部５５２側及び従動アームユニット５６０の先端部５７２側を後方から覆うように第２スライド役物５２０に固定されている。第１スライド役物５１０と第１カバー５０１との間、及び第２スライド役物５２０と第２カバー５０２との間には、駆動アーム５５０及び従動アーム５７０が揺動する空間である隙間Ｍ１（図８参照）が形成されている。
【００６３】
図８に示すように、駆動アーム５５０及び従動アーム５７０は、第１スライド役物５１０と第１カバー５０１との間、及び第２スライド役物５２０と第２カバー５０２との間（図７参照）において、前後方向への移動が規制されている。すなわち、駆動アーム５５０及び従動アーム５７０は、隙間Ｍ１において遊技盤面３１（図２参照）に沿う方向へ揺動する際に、前方側が第１スライド役物５１０及び第２スライド役物５２０と摺動し、後方側が第１カバー５０１及び第２カバー５０２と摺動するように構成されている。また、駆動アーム５５０及び従動アーム５７０は、それぞれの移動範囲内のいずれの位置に位置している状態においても、第１スライド役物５１０、第２スライド役物５２０、第１カバー５０１及び第２カバー５０２と、近接して対向するように構成されている。
【００６４】
３．従動アームユニットの詳細構成
次に、従動アームユニット５６０の詳細な構成について図９及び図１０を用いて説明する。図９に示すように、従動アームユニット５６０は、上述したＬＥＤハーネス５９０及び従動アーム５７０に加え、両面に接着剤を有してＬＥＤハーネス５９０を従動アーム５７０に保持するシート状の両面テープ（接着部材）５６１と、透明な合成樹脂製であるハーネスカバー（カバー体）５６２と、を有している。なお、接着剤とは、固化して接触させたもの同士の接触を強固に維持するものであってもよいし、粘性を有して接触させたもの同士の着け剥がしが可能なものであってもよい。
【００６５】
ＬＥＤハーネス５９０は、第１ＬＥＤ基板５１３（図７参照）に接続される基端部コネクタ５９２と、第２ＬＥＤ基板５２３（図７参照）に接続される先端部コネクタ５９３と、それぞれ独立して並列するように設けられた所謂バラ線と呼ばれる断面同径の複数本の電線５９４からなり、基端部コネクタ５９２と先端部コネクタ５９３とを電気的に接続する配線部５９１と、を有している。このように構成されて、ＬＥＤハーネス５９０は、第１ＬＥＤ基板５１３と第２ＬＥＤ基板５２３とを電気的に接続して、第１ＬＥＤ基板５１３から第２ＬＥＤ基板５２３へ、第２ＬＥＤ基板５２３に設置されているＬＥＤが発光するための電力を伝達している。なお、配線部５９１は、従動アーム５７０の基端部５７１から先端部５７２までの長さより、長いように形成されており、従動アーム５７０の基端部５７１及び先端部５７２から、配線部５９１の長手方向へ配線部５９１の両端部が延出するように構成されている。
【００６６】
従動アーム５７０は、遊技盤面３１（図２参照）に沿う方向に、第１カバー５０１及び第２カバー５０２（それぞれ図７参照）と対向する後面（側面）５７６が形成されており、ＬＥＤハーネス５９０を保持する部分の断面形状がコ字状となるように、基端部５７１から先端部５７２に亘って後面５７６にＬＥＤハーネス５９０を収納する溝部Ｍ２が形成されている。溝部Ｍ２は、遊技盤面３１に沿う方向に基端部５７１から先端部５７２まで延設された底板５７７と、底板５７７から後方へ向けて立設されて、互いに対向する一対の起立板５７８と、により区画されて形成されている。また、後面５７６は、従動アーム５７０が初期位置から動作位置までのいずれの位置に位置している状態においても、第１カバー５０１及び第２カバー５０２と、近接して対向するように構成されている。
【００６７】
また、従動アーム５７０は、底板５７７と対向する向きとなるように底板５７７より後面５７６側に配置されている保持板５８１と、底板５７７に沿って一方の起立板５７８から他方の起立板５７８に向けて延設された規制リブ５８２と、底板５７７に形成されて両面テープ５６１が貼り付けられる目印となるガイドリブ５８３と、を有している。従動アーム５７０は、保持板５８１と底板５７７との前後方向の離間距離が、配線部５９１の電線５９４の直径以上、かつ電線５９４の直径の２倍以下となるように形成されている。保持板５８１は、底板５７７との間で配線部５９１を挟み、ＬＥＤハーネス５９０を溝部Ｍ２の内部に保持している。従動アーム５７０は、規制リブ５８２により、溝部Ｍ２の後面５７６に沿う幅方向Ｘの距離Ｘ１（図１０参照）が、部分的に小さくなるように形成されている。規制リブ５８２は、溝部Ｍ２の幅方向Ｘの距離Ｘ１を部分的に小さくして、配線部５９１の幅方向Ｘの位置を規制している。
【００６８】
底板５７７の溝部Ｍ２の内部には、ガイドリブ５８３に対応する位置に、両面テープ５６１の一方の面が接着されている。ＬＥＤハーネス５９０は、配線部５９１が両面テープ５６１の他方の面に接着されており、両面テープ５６１が、ＬＥＤハーネス５９０の配線部５９１を溝部Ｍ２の内部に平らになるように保持している。このように、両面テープ５６１は、配線部５９１が平らになるように溝部Ｍ２の内部に保持して収納しているので、通常はまとめると互いに厚み方向に重なって平らになりにくいバラ線からなる複数本の電線５９４が互いに厚み方向に重なることを防ぎ、従動アームユニット５６０の厚み方向の距離が大きくなることを防止している。なお、上述したように、ＬＥＤハーネス５９０が溝部Ｍ２に収納されている、とは、ＬＥＤハーネス５９０の少なくとも一部、具体的には配線部５９１の両端部を除く長手方向の一部及び電線５９４の径方向の一部が、溝部Ｍ２の内部に位置していることを含む。
【００６９】
ハーネスカバー５６２は、溝部Ｍ２に対して後面５７６に沿う幅方向Ｘに跨って配置され、溝部Ｍ２と、溝部Ｍ２の内部に保持されている配線部５９１とを、配線部５９１の両端部を除く部分において覆っており、従動アーム５７０とハーネスカバー５６２とにより配線部５９１の周囲が筒状に覆われている。ハーネスカバー５６２は、幅方向Ｘの寸法が、溝部Ｍ２の幅方向Ｘの距離Ｘ１より僅かに小さくなるように形成されており、溝部Ｍ２の内部に配置された状態で、従動アーム５７０に対して着脱可能な着脱位置と、従動アーム５７０に対して着脱不能な固定位置と、の間で、後面５７６に沿う方向かつ溝部Ｍ２が延びる方向に沿って従動アーム５７０に対してスライド可能に構成されている。ハーネスカバー５６２は、固定位置に位置している状態で、底板５７７と対向するように後面５７６側に形成されている固定部５８５と、底板５７７と、の間で挟まれることにより、従動アーム５７０に対する前後方向の移動が規制されている。このように、ハーネスカバー５６２が配線部５９１を溝部Ｍ２の内部に保持しており、ハーネスカバー５６２と従動アーム５７０とにより配線部５９１を筒状に覆って保護しているので、配線部５９１が溝部Ｍ２から突出することを防止して、配線部５９１が第１カバー５０１及び第２カバー５０２と擦れることを防いでいる。
【００７０】
なお、従動アーム５７０が、溝部Ｍ２ではなく、両端に開口が形成された筒状であった場合、従動アーム５７０を薄く形成するとＬＥＤハーネス５９０の基端部コネクタ５９２や先端部コネクタ５９３を通すことができず、また、配線部５９１を開口に挿通した後で基端部コネクタ５９２又は先端部コネクタ５９３を取り付けると作業性が低下してしまう。また、上述したように、両面テープ５６１が配線部５９１を溝部Ｍ２の内部に保持しているので、配線部５９１のハーネスカバー５６２に対する長手方向への移動が規制され、配線部５９１がハーネスカバー５６２の内部で曲がったり擦れたりすることを防いでいる。なお、配線部５９１の両端部は、従動アーム５７０の基端部５７１及び先端部５７２から配線部５９１の長手方向へ延出しているため、両面テープ５６１やハーネスカバー５６２によって保持されておらず、従動アーム５７０が第１スライド役物５１０（図７参照）に対して揺動する際に、遊技盤面３１に沿う方向へ屈曲するように構成されている。仮に、配線部５９１がバラ線ではなく、並列する複数本の電線同士が離れないように互いに固着して帯状に形成されている所謂フラットケーブルにより構成されている場合、配線部５９１の両端部が遊技盤面３１に沿う方向、すなわち電線が並列する方向へは屈曲しにくいため、従動アーム５７０の動きが妨げられてしまう。本実施形態におけるパチンコ機１は、配線部５９１の両端部における複数本の電線５９４がそれぞれ独立して移動や屈曲をすることができるので、従動アーム５７０の動きが妨げられることを防止している。
【００７１】
また、ハーネスカバー５６２には、前後方向に貫通する貫通孔５６２ａが形成されている。ハーネスカバー５６２は、固定位置に位置している状態で、貫通孔５６２ａを貫通する規制ねじ（規制手段）５６３が、従動アーム５７０に形成されている固定孔５８６に固定されており、従動アーム５７０に対してスライド不能に規制されている。このように、ハーネスカバー５６２は、ＬＥＤハーネス５９０を溝部Ｍ２の内部に保持している。なお、スライド不能とは、ハーネスカバー５６２が従動アーム５７０に対して全く移動できないものに限定されない。ハーネスカバー５６２は、規制ねじ５６３により、固定位置から着脱位置まで移動しないように構成されていればよい。
【００７２】
図１０は、従動アームユニット５６０を示す断面図である。図１０に示すように、溝部Ｍ２は、後面５７６に沿う幅方向Ｘの距離である距離Ｘ１より、後面５７６に交差する深さ方向Ｙ、すなわち前後方向の距離である距離Ｙ１が小さい断面形状となるように形成されている。配線部５９１は、複数本の電線５９４が互いに重ならないように、両面テープ５６１に接着されている。また、ハーネスカバー５６２が従動アーム５７０に取り付けられて、固定位置に位置している状態では、底板５７７のＬＥＤハーネス５９０に対向するテープ貼付面５７７ａと、ハーネスカバー５６２のＬＥＤハーネス５９０に対向する保持面５６２ｂと、の離間距離Ｌは、配線部５９１の電線５９４の直径以上、かつ電線５９４の直径の２倍以下となるように構成されている。具体的には、離間距離Ｌは、溝部Ｍ２の深さ方向Ｙの距離Ｙ１より小さいように、構成されている。このように構成されて、ＬＥＤハーネス５９０は、配線部５９１の断面形状が、幅方向Ｘの距離より深さ方向Ｙの距離が小さくなるように、両面テープ５６１、底板５７７及びハーネスカバー５６２により、溝部Ｍ２の内部に保持されている。より具体的には、ＬＥＤハーネス５９０は、配線部５９１の断面形状の深さ方向Ｙの距離が、溝部Ｍ２の深さ方向Ｙの距離Ｙ１より小さくなるように、また、底板５７７に対して平たくなるように、両面テープ５６１、底板５７７及びハーネスカバー５６２により、溝部Ｍ２の内部に保持されている。なお、溝部Ｍ２の内部に保持されている配線部５９１の幅方向Ｘの距離は、溝部Ｍ２の幅方向Ｘの距離Ｘ１より小さいので、両面テープ５６１及びハーネスカバー５６２は、溝部Ｍ２に収納される配線部５９１を、溝部Ｍ２の幅方向の距離Ｘ１より配線部５９１の深さ方向Ｙの距離が小さくなるように溝部Ｍ２の内部に保持させている、といえる。また、上述した、両面テープ５６１及びハーネスカバー５６２が、本実施形態における保持手段を構成する。
【００７３】
次に、従動アームユニット５６０の組立手順について図９を用いて説明をする。まず、作業者は、従動アーム５７０の底板５７７の内部側に、ガイドリブ５８３を目印として両面テープ５６１の一方の面を接着して貼り付ける。その後、作業者は、配線部５９１の電線５９４が互いに深さ方向Ｙに重ならないように、また、ＬＥＤハーネス５９０の長手方向の位置が適当な位置となるように、従動アーム５７０に貼り付けた両面テープ５６１の他方の面に配線部５９１を接着して貼り付ける。その後、作業者は、ＬＥＤハーネス５９０を保持板５８１と底板５７７との間に挟み込ませる。
【００７４】
そして、作業者は、ＬＥＤハーネス５９０が規制リブ５８２に乗り上げていないこと、及び電線５９４同士が深さ方向Ｙに重なっていないことを目視で確認しながら、溝部Ｍ２にハーネスカバー５６２を被せて、ハーネスカバー５６２を着脱位置から固定位置へスライドさせる。なお、一般に、パチンコ機１のような遊技機においては、機種ごとに演出役物装置の形状が異なるが、例えば、機種ごとに異なる自動組立機により組み立てを行うことは採算性が低化する虞が高いため、手作業で組み立てを行う場合が多い。仮に、両面テープ５６１を使用することなく手作業で従動アームユニット５６０を組み立てようとすると、ハーネスカバー５６２を取り付ける際に、配線部５９１が溝部Ｍ２から飛び出してしまったり、電線５９４同士が深さ方向Ｙに重なってしまったりして、溝部Ｍ２に配線部５９１を平たい状態にしておくことが難しく、作業性が著しく低い。本実施形態におけるパチンコ機１は、ハーネスカバー５６２を取り付ける際、既にＬＥＤハーネス５９０の配線部５９１が、両面テープ５６１及び保持板５８１によって溝部Ｍ２から突出しないよう、平らになるように保持されているので、ハーネスカバー５６２を取り付ける際における作業者の作業負荷を軽減し、短時間で正確に組み立てることを可能としている。また、ハーネスカバー５６２は、透明な合成樹脂製であるため、ハーネスカバー５６２を従動アーム５７０に取り付けた状態であっても、溝部Ｍ２の内部に保持されている電線５９４同士が重なることなく正しく収納されているか否かを作業者が目視で確認することを可能として、作業性の向上を図っている。最後に、作業者は、ハーネスカバー５６２の貫通孔５６２ａを貫通させて従動アーム５７０の固定孔５８６に規制ねじ５６３を取り付けて、ハーネスカバー５６２の従動アーム５７０に対するスライドを規制する。
【００７５】
４．本実施の形態のまとめ
以上説明した遊技機（１）は、
遊技価値を用いて行われる遊技の進行に応じて演出を実行する演出装置（４１０）を備えた遊技機（１）において、
前記演出装置（４１０）は、
支持部（５１０）と、
複数本の電線（５９４）を有して前記支持部（５１０）から延出する配線（５９０）と、
前記配線（５９０）を収納する溝部（Ｍ２）を有し、前記支持部（５１０）に対して移動可能な可動体（５７０）と、
前記溝部に収納される前記配線（５９０）を、前記溝部の幅方向（Ｘ）の距離（Ｘ１）より深さ方向（Ｙ）の距離が小さくなるように前記溝部（Ｍ２）の内部に保持させる保持手段（５６１，５６２）と、を備えた。
【００７６】
これにより、両面テープ５６１及びハーネスカバー５６２が、ＬＥＤハーネス５９０を溝部Ｍ２の内部に保持させるので、従動アーム５７０が移動する際にＬＥＤハーネス５９０が溝部Ｍ２から後方へ飛び出すことを防ぎ、ＬＥＤハーネス５９０が擦れる等により断線することの防止を図ることができる。また、両面テープ５６１及びハーネスカバー５６２が、ＬＥＤハーネス５９０の断面を、溝部Ｍ２の幅方向Ｘの距離Ｘ１よりＬＥＤハーネス５９０の深さ方向Ｙの距離が小さくなるように、ＬＥＤハーネス５９０を溝部Ｍ２の内部に保持させるので、従動アーム５７０の移動に伴いＬＥＤハーネス５９０が曲がって従動アームユニット５６０の厚みより深さ方向Ｙに突出することを防ぎ、ＬＥＤハーネス５９０が断線することの防止を図ることができる。また、両面テープ５６１及びハーネスカバー５６２が、ＬＥＤハーネス５９０の断面を幅方向Ｘの距離より深さ方向Ｙの距離が小さくなるように、ＬＥＤハーネス５９０を溝部Ｍ２の内部に保持させるので、深さ方向Ｙにおいて演出役物装置４１０の厚みを薄く抑えることができる。
【００７７】
また、遊技機（１）は、
前記可動体（５７０）は、第１可動体（５７０）であり、
前記演出装置（４１０）は、前記支持部（５１０）及び前記第１可動体（５７０）に対して移動可能に、前記第１可動体（５７０）を介して前記支持部（５１０）に連結され、かつ前記配線（５９０）により前記支持部（５１０）と電気的に接続された第２可動体（５２０）を備えた。
【００７８】
これにより、従動アーム５７０は、第１スライド役物５１０と第２スライド役物５２０とを連結する連結部材として機能し、第２スライド役物５２０は、第１スライド役物５１０及び従動アーム５７０に対して相対的に移動して、遊技者の演出に対する興趣の向上を図ることができる。また、従動アーム５７０は、第１スライド役物５１０から延出して第１スライド役物５１０と第２スライド役物５２０とを電気的に接続するＬＥＤハーネス５９０の架け渡し部材として機能し、ＬＥＤハーネス５９０が特定の経路を通るように保持することができる。
【００７９】
また、遊技機（１）は、
前記可動体（５７０）は、第１位置から第２位置まで前記側面（５７６）に沿う方向（Ｃ）へ移動可能であり、
前記可動体（５７０）が前記第１位置から前記第２位置までのいずれかの位置で、前記側面（５７６）に対向した状態となる対向部材（５０１，５０２）を備えた。
【００８０】
これにより、従動アーム５７０の後面５７６に対向した状態となる対向部材としての、第１カバー５０１及び第２カバー５０２を備えている場合には、第１カバー５０１及び第２カバー５０２とＬＥＤハーネス５９０との接触を防ぎ、ＬＥＤハーネス５９０が第１カバー５０１及び第２カバー５０２に擦れる等により断線することの防止を図ることができる。
【００８１】
また、遊技機（１）は、
前記配線（５９０）は、複数本の電線（５９４）がそれぞれ独立している。
【００８２】
これにより、例えば、ＬＥＤハーネス５９０の両端部における従動アーム５７０に保持されていない部位、すなわち従動アーム５７０が移動する毎に屈曲する部位においては、両面テープ５６１やハーネスカバー５６２にＬＥＤハーネス５９０を保持させず、それぞれの電線５９４が独立して移動可能に構成することにより、フラットケーブル等で配線部５９１が構成されている場合と比較して、配線部５９１が引っ張られることを防止して、ＬＥＤハーネス５９０の耐久性の向上を図ることができる。
【００８３】
また、遊技機（１）は、
前記保持手段（５６１，５６２）は、前記溝部（Ｍ２）に対して前記幅方向（Ｘ）に跨って配置され、前記溝部（Ｍ２）を覆うカバー体（５６２）を含む。
【００８４】
これにより、ハーネスカバー５６２が、溝部Ｍ２からの配線部５９１の後方への飛び出しを防ぎ、ＬＥＤハーネス５９０が擦れる等により断線することの防止を図ることができる。
【００８５】
また、遊技機（１）は、
前記カバー体（５６２）は、前記側面（５７６）に沿う方向にスライドさせて前記可動体（５７０）に取り付けられ、
前記カバー体（５６２）をスライド不能に規制する規制手段（５６３）を有する。
【００８６】
これにより、ＬＥＤハーネス５９０を配置するスペースを確保しながら、従動アーム５７０の後面５７６と交差する方向における、演出役物装置４１０の厚みを薄く抑えることができる。
【００８７】
また、遊技機（１）は、
前記保持手段（５６１，５６２）は、両面に接着剤を有し、一方の面が前記溝部（Ｍ２）の内部に接着され、かつ他方の面が前記配線（５９０）に接着されるシート状の接着部材（５６１）を含む。
【００８８】
これにより、両面テープ５６１が、ＬＥＤハーネス５９０の断面形状が幅方向Ｘの距離より深さ方向Ｙの距離が小さくなるように、ＬＥＤハーネス５９０を溝部Ｍ２の内部に保持させるので、従動アーム５７０やＬＥＤハーネス５９０の深さ方向Ｙの距離を小さくすることができ、深さ方向Ｙにおいて演出役物装置４１０の薄型化を図ることができる。また、ＬＥＤハーネス５９０の断面が幅方向Ｘの距離より深さ方向Ｙの距離が小さくなるように、ＬＥＤハーネス５９０が両面テープ５６１により溝部Ｍ２の内部に保持されている状態で、ハーネスカバー５６２を従動アーム５７０に取付けることができるので、ハーネスカバー５６２を取り付ける際における作業者の作業負担を軽減し、組立作業性の向上を図ることができる。
【００８９】
５．変形例
なお、本実施形態において、パチンコ機１は、演出役物装置４１０が、第１スライド役物５１０及び従動アーム５７０に対して移動可能に、従動アーム５７０を介して第１スライド役物５１０に連結され、かつＬＥＤハーネス５９０により第１スライド役物５１０と電気的に接続された第２スライド役物５２０を備えるように構成されているが、これに限定されない。パチンコ機１は、例えば、第２スライド役物５２０を備えていなくてもよく、従動アーム５７０が先端部にＬＥＤ基板を有して、当該ＬＥＤ基板と第１スライド役物５１０とを電気的に接続するＬＥＤハーネス５９０が、従動アーム５７０に形成された溝部Ｍ２に保持されるように構成されていてもよい。また、例えば、パチンコ機１は、従動アーム５７０が基端部５７１と先端部５７２との間に基板を有して、当該基板と第１スライド役物５１０とを接続する配線が、従動アーム５７０の基端部５７１付近に形成された溝部Ｍ２の内部に保持され、当該基板と第２スライド役物５２０とを接続する配線が、従動アーム５７０の先端部５７２付近に形成された溝部Ｍ２の内部に保持されるように構成されていてもよい。
【００９０】
また、本実施形態において、パチンコ機１は、遊技盤面３１に沿う方向、すなわち後面５７６に沿う方向へ回動する従動アーム５７０が第１可動体（可動体）を構成しているが、これに限定されない。パチンコ機１は、例えば、駆動アーム５５０にＬＥＤハーネス５９０を収納する溝部Ｍ２が形成されているように構成されていてもよい。また、第１可動体（可動体）はアーム状に形成されて回動するものに限定されず、ＬＥＤハーネス５９０を収納する溝部Ｍ２が形成されている可動体としては、多様な形状や多様な移動方向に移動するものが考えられる。
【００９１】
また、本実施形態において、パチンコ機１は、ＬＥＤハーネス５９０を溝部Ｍ２の内部に保持させる保持手段として、両面テープ５６１及びハーネスカバー５６２を備えるように構成されているが、これに限定されない。パチンコ機１は、例えば、保持手段として、両面テープ５６１及びハーネスカバー５６２の代わりに、接着剤を有して、接着剤によりＬＥＤハーネス５９０を溝部Ｍ２の内部に保持させるように構成されていてもよいし、保持手段として、溝部Ｍ２内に充填された合成樹脂によりＬＥＤハーネス５９０を溝部Ｍ２の内部に保持させるように構成されていてもよい。また、パチンコ機１は、例えば、保持手段として、ハーネスカバー５６２のみによりＬＥＤハーネス５９０を溝部Ｍ２の内部に保持させるように構成されていてもよい。このように構成された場合、従動アーム５７０が移動する際に、従動アーム５７０のテープ貼付面５７７ａとハーネスカバー５６２の保持面５６２ｂとの間でＬＥＤハーネス５９０が移動して、ＬＥＤハーネス５９０がテープ貼付面５７７ａ及びハーネスカバー５６２の保持面５６２ｂと擦れることになるが、テープ貼付面５７７ａと保持面５６２ｂとの離間距離Ｌが電線５９４の直径に対して２倍以下となっているのでＬＥＤハーネス５９０は強く擦れることがなく、ＬＥＤハーネス５９０が断線することの防止を図ることができる。また、パチンコ機１は、保持板５８１が、配線部５９１の断面形状が幅方向Ｘの距離より深さ方向Ｙの距離が小さくなるように、ＬＥＤハーネス５９０を溝部Ｍ２の内部に保持させる保持手段を構成してもよい。
【００９２】
また、本実施形態において、パチンコ機１は、テープ貼付面５７７ａと保持面５６２ｂとの離間距離Ｌが、電線５９４の直径以上、かつ電線５９４の直径の２倍以下となるように構成されているが、これに限定されない。パチンコ機１は、例えば、両面テープ５６１の他方の面と保持面５６２ｂとの離間距離Ｌが、電線５９４の直径以上、かつ電線５９４の直径の２倍以下となるように構成されていてもよい。また、例えば、パチンコ機１は、ＬＥＤハーネス５９０を保持していない状態における離間距離Ｌが、電線５９４の直径より僅かに小さくなるように構成されていてもよい。このように構成された場合、ＬＥＤハーネス５９０と保持面５６２ｂとの間に摩擦力が発生し、ＬＥＤハーネス５９０を、テープ貼付面５７７ａと保持面５６２ｂとの間でより確実に保持することが可能となる。また、このように構成された場合、従動アームユニット５６０が両面テープ５６１を有していなくても、ハーネスカバー５６２が、ＬＥＤハーネス５９０と従動アーム５７０やハーネスカバー５６２とが擦れることによるＬＥＤハーネス５９０の損傷を軽減し、ＬＥＤハーネス５９０が断線することの防止を図ることができる。
【００９３】
また、本実施形態において、パチンコ機１は、従動アーム５７０が第１位置から第２位置までのいずれの位置に位置している状態においても、後面５７６が第１カバー５０１及び第２カバー５０２と、近接して対向するように構成されているが、これに限定されない。パチンコ機１は、従動アーム５７０が第１位置から第２位置までのいずれかの位置で、後面５７６と対向した状態となる可能性がある対向部材を備えていればよく、例えば、従動アーム５７０とは独立して移動する第３可動体（対向部材）を備えて、従動アーム５７０が第１位置に位置してかつ第３可動体が動作した位置に位置している状態で、後面５７６が、第３可動体と対向するように構成されていてもよいし、従動アーム５７０が第１位置に位置している状態で、後面５７６が、スライド役物ベース（対向部材）４１１と対向するように構成されていてもよい。また、対向部材は、上述したものに限定されず、遊技盤３０でもよいし、透過板１０でもよいし、演出表示装置４００でもよいし、演出照明装置４２０でもよいし、制御基板やＬＥＤ基板等を収納する基板ケースでもよいし、外枠２でもよいし、中枠４でもよい。
【００９４】
また、本実施形態において、パチンコ機１は、配線部５９１が所謂バラ線から構成されているが、これに限定されない。パチンコ機１は、例えば、配線部５９１が、フラットケーブルから構成されていてもよい。このように構成された場合、ＬＥＤハーネス５９０の配線部５９１を両面テープ５６１に保持させる際や、ハーネスカバー５６２を従動アーム５７０に取り付ける際の作業性の向上を図ることができる。
【００９５】
また、本実施形態において、パチンコ機１は、スライド役物ベース４１１が遊技盤面３１に対して固定されているものに限定されない。パチンコ機１は、例えば、スライド役物ベース４１１が、遊技盤面３１に対して移動可能に支持されて構成されていてもよい。
【００９６】
また、本実施形態において、パチンコ機１は、第１ＬＥＤ基板５１３と第２ＬＥＤ基板５２３とを電気的に接続して、第２ＬＥＤ基板５２３に設置されているＬＥＤが発光するための電力を伝達するＬＥＤハーネス５９０が、配線を構成しているが、これに限定されない。パチンコ機１は、例えば、制御信号や駆動源等の駆動電力、ＬＥＤ以外の発光源が発光するための電力等を伝達するハーネスが、配線を構成してもよい。
【００９７】
また、本実施形態において、パチンコ機１は、規制ねじ５６３が、ハーネスカバー５６２を従動アーム５７０に対してスライド不能に規制する規制手段を構成しているが、これに限定されない。パチンコ機１は、ハーネスカバー５６２が規制手段により固定位置から着脱位置まで移動しないように移動を規制されていればよく、例えば、ハーネスカバー５６２を従動アーム５７０に対してスライド不能に規制するスナップフィット構造が、規制手段を構成してもよいし、ハーネスカバー５６２を従動アーム５７０に対してスライド不能に規制する接着剤が、規制手段を構成してもよいし、ハーネスカバー５６２を従動アーム５７０に対してスライド不能に規制する図示しない押さえ部品等が、規制手段を構成してもよい。
【００９８】
また、本実施形態においては、遊技機の一例である、遊技球が流下、転動する遊技領域を備え、遊技者の操作に応じて遊技領域に遊技球を発射するパチンコ遊技機を例にして説明したが、本発明は、外周面に図柄が配列されている複数のリールを備え、遊技者の操作に応じて複数のリールを回転させ、抽選の結果に応じた態様で複数のリールを停止させるスロットマシンや、遊技球を遊技媒体として用いた遊技を行うスロットマシンや、有形の遊技媒体を用いず遊技価値を有する電子データを用いた遊技を行う遊技機等の各種の遊技機に適用可能である。
【符号の説明】
【００９９】
１…遊技機（パチンコ機）
４１０…演出装置（演出役物装置）
５１０…支持部（第１スライド役物）
５２０…第２可動体（第２スライド役物）
５６１…保持手段（接着部材、両面テープ）
５６２…保持手段（カバー体、ハーネスカバー）
５７０…可動体（第１可動体、従動アーム）
５９０…配線（ＬＥＤハーネス）
５９４…電線
Ｍ２…溝部
Ｘ…幅方向
Ｘ１…距離
Ｙ…深さ方向
【図１】
2020010854.tif 000003
【図２】
2020010854.tif 000004
【図３】
2020010854.tif 000005
【図４】
2020010854.tif 000006
【図５】
2020010854.tif 000007
【図６】
2020010854.tif 000008
【図７】
2020010854.tif 000009
【図８】
2020010854.tif 000010
【図９】
2020010854.tif 000011
【図１０】
2020010854.tif 000012